【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】  グリホセートＮ−アセチルトランスフェラーゼを有するポリペプチドをコードする単離されたポリヌクレオチドまたは組換えポリヌクレオチドであって：
（ａ）ＢＬＯＳＵＭ６２マトリックス、１１のギャップイグジステンスペナルティー、および１のギャップエクステンションペナルティーを使用して、少なくとも４６０の類似性スコアを生み出すように、配列番号３００、配列番号４４５、および配列番号４５７からなる群から選択される配列と、最適に並べられ得るアミノ酸配列をコードするヌクレオチド配列；または
（ｂ）配列番号３００、配列番号４４５、および配列番号４５７からなる群から選択されるアミノ酸配列の、少なくとも２０個の連続するアミノ酸をコードするヌクレオチド配列；または
（ｃ）ヌクレオチド配列であって、該ヌクレオチド配列の相補鎖が、ストリンジェントな条件下で、配列番号３００、配列番号４４５、および配列番号４５７からなる群から選択されるアミノ酸配列をコードするヌクレオチド配列の実質的に全長にわたりハイブリダイズする、ヌクレオチド配列；または
（ｄ）配列番号６〜１０および２６３〜５１４のアミノ酸配列をコードするヌクレオチド配列；または
（ｅ）以下の位置のうちの少なくとも８０％が以下の制限：
（ａ）２位のアミノ酸残基がＩまたはＬである；
（ｂ）３位のアミノ酸残基がＥまたはＤである；
（ｃ）４位のアミノ酸残基がＶ、ＡまたはＩである；
（ｄ）５位のアミノ酸残基がＫ、ＲまたはＮである；
（ｅ）６位のアミノ酸残基がＰまたはＬである；
（ｆ）８位のアミノ酸残基がＮ、ＳまたはＴである；
（ｇ）１０位のアミノ酸残基がＥまたはＧである；
（ｈ）１１位のアミノ酸残基がＤまたはＥである；
（ｉ）１２位のアミノ酸残基がＴまたはＡである；
（ｊ）１４位のアミノ酸残基がＥまたはＫである；
（ｋ）１５位のアミノ酸残基がＩまたはＬである；
（ｌ）１７位のアミノ酸残基がＨまたはＱである；
（ｍ）１８位のアミノ酸残基がＲ、ＣまたはＫである；
（ｎ）１９位のアミノ酸残基がＩまたはＶである；
（ｏ）２４位のアミノ酸残基がＱまたはＲである；
（ｐ）２６位のアミノ酸残基がＬまたはＩである；
（ｑ）２７位のアミノ酸残基がＥまたはＤである；
（ｒ）２８位のアミノ酸残基がＡまたはＶである；
（ｓ）３０位のアミノ酸残基がＫ、ＭまたはＲである；
（ｔ）３１位のアミノ酸残基がＹまたはＦである；
（ｕ）３２位のアミノ酸残基がＥまたはＧである；
（ｖ）３３位のアミノ酸残基がＴ、ＡまたはＳである；
（ｗ）３５位のアミノ酸残基がＬ、ＳまたはＭである；
（ｘ）３７位のアミノ酸残基がＲ、Ｇ、ＥまたはＱである；
（ｙ）３８位のアミノ酸残基がＧまたはＳである；
（ｚ）３９位のアミノ酸残基がＴ、ＡまたはＳである；
（ａａ）４０位のアミノ酸残基がＦ、ＬまたはＳである；
（ａｂ）４５位のアミノ酸残基がＹまたはＦである；
（ａｃ）４７位のアミノ酸残基がＲ、ＱまたはＧである；
（ａｄ）４８位のアミノ酸残基がＧまたはＤである；
（ａｅ）４９位のアミノ酸残基がＫ、Ｒ、ＥまたはＱである；
（ａｆ）５１位のアミノ酸残基がＩまたはＶである；
（ａｇ）５２位のアミノ酸残基がＳ、ＣまたはＧである；
（ａｈ）５３位のアミノ酸残基がＩまたはＴである；
（ａｉ）５４位のアミノ酸残基がＡまたはＶである；
（ａｊ）５７位のアミノ酸残基がＨまたはＮである；
（ａｋ）５８位のアミノ酸残基がＱ、Ｋ、ＮまたはＰである；
（ａｌ）５９位のアミノ酸残基がＡまたはＳである；
（ａｍ）６０位のアミノ酸残基がＥ、Ｋ、Ｇ、ＶまたはＤである；
（ａｎ）６１位のアミノ酸残基がＨまたはＱである；
（ａｏ）６２位のアミノ酸残基がＰ、ＳまたはＴである；
（ａｐ）６３位のアミノ酸残基がＥ、ＧまたはＤである；
（ａｑ）６５位のアミノ酸残基がＥ、Ｄ、ＶまたはＱである；
（ａｒ）６７位のアミノ酸残基がＱ、Ｅ、Ｒ、Ｌ、ＨまたはＫである；
（ａｓ）６８位のアミノ酸残基がＫ、Ｒ、ＥまたはＮである；
（ａｔ）６９位のアミノ酸残基がＱまたはＰである；
（ａｕ）７９位のアミノ酸残基がＥまたはＤである；
（ａｖ）８０位のアミノ酸残基がＧまたはＥである；
（ａｗ）８１位のアミノ酸残基がＹ、ＮまたはＦである；
（ａｘ）８２位のアミノ酸残基がＲまたはＨである；
（ａｙ）８３位のアミノ酸残基がＥ、ＧまたはＤである；
（ａｚ）８４位のアミノ酸残基がＱ、ＲまたはＬである；
（ｂａ）８６位のアミノ酸残基がＡまたはＶある；
（ｂｂ）８９位のアミノ酸残基がＴまたはＳである；
（ｂｃ）９０位のアミノ酸残基がＬまたはＩである；
（ｂｄ）９１位のアミノ酸残基がＩまたはＶである；
（ｂｅ）９２位のアミノ酸残基がＲまたはＫである；
（ｂｆ）９３位のアミノ酸残基がＨ、ＹまたはＱである；
（ｂｇ）９６位のアミノ酸残基がＥ、ＡまたはＱである；
（ｂｈ）９７位のアミノ酸残基がＬまたはＩである；
（ｂｉ）１００位のアミノ酸残基がＫ、Ｒ、ＮまたはＥである；
（ｂｊ）１０１位のアミノ酸残基がＫまたはＲである；
（ｂｋ）１０３位のアミノ酸残基がＡまたはＶである；
（ｂｌ）１０４位のアミノ酸残基がＤまたはＮである；
（ｂｍ）１０５位のアミノ酸残基がＬまたはＭである；
（ｂｎ）１０６位のアミノ酸残基がＬまたはＩである；
（ｂｏ）１１２位のアミノ酸残基がＴまたはＩである；
（ｂｐ）１１３位のアミノ酸残基がＳ、ＴまたはＦである；
（ｂｑ）１１４位のアミノ酸残基がＡまたはＶである；
（ｂｒ）１１５位のアミノ酸残基がＳ、ＲまたはＡである；
（ｂｓ）１１９位のアミノ酸残基がＫ、ＥまたはＲである；
（ｂｔ）１２０位のアミノ酸残基がＫまたはＲである；
（ｂｕ）１２３位のアミノ酸残基がＦまたはＬである；
（ｂｖ）１２４位のアミノ酸残基がＳまたはＲである；
（ｂｗ）１２５位のアミノ酸残基がＥ、Ｋ、ＧまたはＤである；
（ｂｘ）１２６位のアミノ酸残基がＱまたはＨである；
（ｂｙ）１２８位のアミノ酸残基がＥ、ＧまたはＫである；
（ｂｚ）１２９位のアミノ酸残基がＶ、ＩまたはＡである；
（ｃａ）１３０位のアミノ酸残基がＹ、Ｈ、ＦまたはＣである；
（ｃｂ）１３１位のアミノ酸残基がＤ、Ｇ、ＮまたはＥである；
（ｃｃ）１３２位のアミノ酸残基がＩ、Ｔ、Ａ、Ｍ、ＶまたはＬである；
（ｃｄ）１３５位のアミノ酸残基がＶ、Ｔ、ＡまたはＩである；
（ｃｅ）１３８位のアミノ酸残基がＨまたはＹである；
（ｃｆ）１３９位のアミノ酸残基がＩまたはＶである；
（ｃｇ）１４０位のアミノ酸残基がＬまたはＳである；
（ｃｈ）１４２位のアミノ酸残基がＹまたはＨである；
（ｃｉ）１４３位のアミノ酸残基がＫ、ＴまたはＥである；
（ｃｊ）１４４位のアミノ酸残基がＫ、ＥまたはＲである；
（ｃｋ）１４５位のアミノ酸残基がＬまたはＩである；
（ｃｌ）１４６位のアミノ酸残基がＴまたはＡである；
（ｃｍ）９、７６、９４、および１１０位のアミノ酸残基がＡである；
（ｃｎ）２９および１０８位のアミノ酸残基がＣである；
（ｃｏ）３４位のアミノ酸残基がＤである；
（ｃｐ）９５位のアミノ酸残基がＥである；
（ｃｑ）５６位のアミノ酸残基がＦである；
（ｃｒ）４３、４４、６６、７４、８７、１０２、１１６、４２２、１２７、および１３６位のアミノ酸残基がＧである；
（ｃｓ）４１位のアミノ酸残基がＨである；
（ｃｔ）７位のアミノ酸残基がＩである；
（ｃｕ）８５位のアミノ酸残基がＫである；
（ｃｖ）２０、３６、４２、５０、７２、７８、９８、および１２１位のアミノ酸残基がＬである；
（ｃｗ）１、７５、および１４１位のアミノ酸残基がＭである；
（ｃｘ）２３、６４、および１０９位のアミノ酸残基がＮである；
（ｃｙ）２２、２５、１３３、１３４、および１３７位のアミノ酸残基がＰである；
（ｃｚ）７１位のアミノ酸残基がＱである；
（ｄａ）１６、２１、７３、９９、および１１１位のアミノ酸残基がＲである；
（ｄｂ）５５および８８位のアミノ酸残基がＳである；
（ｄｃ）７７位のアミノ酸残基がＴである；
（ｄｄ）１０７位のアミノ酸残基がＷである；および
（ｄｅ）１３、４６、７０、１１７、および１１８位のアミノ酸残基がＹである、
に合致するポリペプチドをコードするヌクレオチド配列、
を含む、ヌクレオチド。
【請求項２】  請求項１に記載の単離されたポリヌクレオチドまたは組換えポリヌクレオチドであって、ここで：
（ｉ）前記ポリペプチドが、グリホセートに対して、少なくとも１０ｍＭ−１  ｍｉｎ−１のｋｃａｔ／Ｋｍでグリホセートのアセチル化を触媒し；かつ／または
（ｉｉ）該ポリペプチドがアミノメチルホスホン酸のアセチル化を触媒し；かつ／または
（ｉｉｉ）該ポリペプチドの以下の位置の少なくとも８０％が以下の制限：
（ａ）９、７６、９４および１１０位のアミノ酸残基がＡである；
（ｂ）２９および１０８位のアミノ酸残基がＣである；
（ｃ）３４位のアミノ酸残基がＤである；
（ｄ）９５位のアミノ酸残基がＥである；
（ｅ）５６位のアミノ酸残基がＦである；
（ｆ）４３、４４、６６、７４、８７、１０２、１１６、４２２、１２７および１３６位のアミノ酸残基がＧである；
（ｇ）４１位のアミノ酸残基がＨである；
（ｈ）７位のアミノ酸残基がＩである；
（ｉ）８５位のアミノ酸残基がＫである；
（ｊ）２０、３６、４２、５０、７２、７８、９８および１２１位のアミノ酸残基がＬである；
（ｋ）１、７５および１４１位のアミノ酸残基がＭである；
（ｌ）２３、６４および１０９位のアミノ酸残基がＮである；
（ｍ）２２、２５、１３３、１３４および１３７位のアミノ酸残基がＰである；
（ｎ）７１位のアミノ酸残基がＱである；
（ｏ）１６、２１、７３、９９および１１１位のアミノ酸残基がＲである；
（ｐ）５５および８８位のアミノ酸残基がＳである；
（ｑ）７７位のアミノ酸残基がＴである；
（ｒ）１０７位のアミノ酸残基がＷである；および
（ｓ）１３、４６、７０、１１７および１１８位のアミノ酸残基がＹである、
に合致する、ポリヌクレオチド。
【請求項３】  前記ポリペプチドが、配列番号３００、配列番号４４５、または配列番号４５７のアミノ酸配列を含む、請求項１または２に記載の単離されたポリヌクレオチドまたは組換えポリヌクレオチド。
【請求項４】  配列番号４８、配列番号１９３、もしくは配列番号２０５、またはそれらの組み合わせのヌクレオチド配列を含む、請求項３に記載の単離されたポリヌクレオチドまたは組換えポリヌクレオチド。
【請求項５】  請求項１〜３のいずれかに記載のポリヌクレオチドであって、ここで：
（ａ）親コドンが、該親コドンに対して植物中で優先的に使用される同族コドンによって置換されおり；かつ／または
（ｂ）該ポリヌクレオチドが、Ｎ末端クロロプラスト移行ペプチドをコードするヌクレオチド配列さらに含む、
ポリヌクレオチド。
【請求項６】  請求項１〜５のいずれかに記載のポリヌクレオチドを含む核酸構築物であって、該構築物は、該ポリヌクレオチドに作動可能に連結されたプロモーターを含み、該プロモーターが、前記ポリヌクレオチドに対して異種であり、そして、前記核酸構築物を用いて形質転換された植物細胞のグリホセート耐性を増強するのに十分な前記のコードされたポリペプチドの発現を引き起こすのに効果的である、核酸構築物。
【請求項７】  請求項６に記載の構築物であって、第２ポリペプチドをコードする第２ポリヌクレオチド配列をさらに含み、
ここで、該第２のポリペプチドが効果的なレベルで該第２ポリペプチドを発現する細胞または組織に検出可能な表現型特性を付与し；かつ／または
該構築物が、Ｔ−ＤＮＡ配列を含み；かつ／または
該ポリヌクレオチドが調節配列に作動可能に連結されており；かつ／または
該構築物が植物形質転換ベクターである、
構築物。
【請求項８】  請求項１〜５のいずれかに記載のポリヌクレオチドのうちの少なくとも１つまたは請求項６もしくは７に記載の構築物のうちの少なくとも１つを含む細胞であって、ここで、グリホセート−Ｎ−アシルトランスフェラーゼ活性をコードする前記ポリヌクレオチドが、該細胞に対して異種である、細胞。
【請求項９】  前記細胞が植物細胞である、請求項８に記載の細胞。
【請求項１０】  請求項９に記載の細胞を含むトランスジェニック植物もしくは該植物から生成される種子または該細胞を含むトランスジェニック植物外植片であって、ここで、該植物または植物外植片が、グリホセートＮ−アセチルトランスフェラーゼ活性を有するポリペプチドを発現する、トランスジェニック植物、種子、またはトランスジェニック植物外植片。
【請求項１１】  請求項１０に記載のトランスジェニック植物、種子、またはトランスジェニック植物外植片であって、ここで、該トランスジェニック植物または植物外植片が、以下の属：Ｅｌｅｕｓｉｎｅ、Ｌｏｌｌｉｕｍ、Ｂａｍｂｕｓａ、Ｂｒａｓｓｉｃａ、Ｄａｃｔｙｌｉｓ、Ｓｏｒｇｈｕｍ、Ｐｅｎｎｉｓｅｔｕｍ、Ｚｅａ、Ｏｒｙｚａ、Ｔｒｉｔｉｃｕｍ、Ｓｅｃａｌｅ、Ａｖｅｎａ、Ｈｏｒｄｅｕｍ、Ｓａｃｃｈａｒｕｍ、Ｃｏｉｘ、ＧｌｙｃｉｎｅおよびＧｏｓｓｙｐｉｕｍの中から選択される作物である、トランスジェニック植物、種子、またはトランスジェニック植物外植片。
【請求項１２】  前記植物または植物外植片が、その同属、同株または同品種の野生型植物と比較した場合、グリホセートへの増強された耐性を示す、請求項１０または１１に記載のトランスジェニック植物、種子、またはトランスジェニック植物外植片。
【請求項１３】  グリホセートＮ−アセチルトランスフェラーゼ活性を有する単離されたポリペプチドまたは組換えポリペプチドであって、ここで：
（ａ）該ポリペプチドが、ＢＬＯＳＵＭ６２マトリックス、１１のギャップイグジステンスペナルティー、および１のギャップエクステンションペナルティーを使用して、少なくとも４６０の類似性スコアを生み出すように、配列番号３００、配列番号４４５、および配列番号４５７からなる群から選択される配列と、最適に並べられ得るアミノ酸配列を含むか；または
（ｂ）該ポリペプチドが、配列番号３００、配列番号４４５および配列番号４５７からなる群から選択されるアミノ酸配列の、少なくとも２０個の連続するアミノ酸を含むか；または
（ｃ）該ポリペプチドが、配列番号３００、配列番号４４５および配列番号４５７からなる群から選択されるアミノ酸配列をコードするヌクレオチド配列の相補鎖の実質的に全長にわたり、ストリンジェントな条件下でハイブリダイズするヌクレオチド配列によりコードされるか；または
（ｄ）該ポリペプチドが、少なくとも約２ｍＭまたはそれより少ない、グリホセートに対するＫｍ；または少なくとも約２００μＭまたはそれより少ない、アセチルＣｏＡに対するＫｍ；または少なくとも約６／分と等しいＫｃａｔを有するか；または
（ｅ）該ポリペプチドの以下の位置の少なくとも８０％が以下の制限：
（ａ）２位のアミノ酸残基がＩまたはＬである；
（ｂ）３位のアミノ酸残基がＥまたはＤである；
（ｃ）４位のアミノ酸残基がＶ、ＡまたはＩである；
（ｄ）５位のアミノ酸残基がＫ、ＲまたはＮである；
（ｅ）６位のアミノ酸残基がＰまたはＬである；
（ｆ）８位のアミノ酸残基がＮ、ＳまたはＴである；
（ｇ）１０位のアミノ酸残基がＥまたはＧである；
（ｈ）１１位のアミノ酸残基がＤまたはＥである；
（ｉ）１２位のアミノ酸残基がＴまたはＡである；
（ｊ）１４位のアミノ酸残基がＥまたはＫである；
（ｋ）１５位のアミノ酸残基がＩまたはＬである；
（ｌ）１７位のアミノ酸残基がＨまたはＱである；
（ｍ）１８位のアミノ酸残基がＲ、ＣまたはＫである；
（ｎ）１９位のアミノ酸残基がＩまたはＶである；
（ｏ）２４位のアミノ酸残基がＱまたはＲである；
（ｐ）２６位のアミノ酸残基がＬまたはＩである；
（ｑ）２７位のアミノ酸残基がＥまたはＤである；
（ｒ）２８位のアミノ酸残基がＡまたはＶである；
（ｓ）３０位のアミノ酸残基がＫ、ＭまたはＲである；
（ｔ）３１位のアミノ酸残基がＹまたはＦである；
（ｕ）３２位のアミノ酸残基がＥまたはＧである；
（ｖ）３３位のアミノ酸残基がＴ、ＡまたはＳである；
（ｗ）３５位のアミノ酸残基がＬ、ＳまたはＭである；
（ｘ）３７位のアミノ酸残基がＲ、Ｇ、ＥまたはＱである；
（ｙ）３８位のアミノ酸残基がＧまたはＳである；
（ｚ）３９位のアミノ酸残基がＴ、ＡまたはＳである；
（ａａ）４０位のアミノ酸残基がＦ、ＬまたはＳである；
（ａｂ）４５位のアミノ酸残基がＹまたはＦである；
（ａｃ）４７位のアミノ酸残基がＲ、ＱまたはＧである；
（ａｄ）４８位のアミノ酸残基がＧまたはＤである；
（ａｅ）４９位のアミノ酸残基がＫ、Ｒ、ＥまたはＱである；
（ａｆ）５１位のアミノ酸残基がＩまたはＶである；
（ａｇ）５２位のアミノ酸残基がＳ、ＣまたはＧである；
（ａｈ）５３位のアミノ酸残基がＩまたはＴである；
（ａｉ）５４位のアミノ酸残基がＡまたはＶである；
（ａｊ）５７位のアミノ酸残基がＨまたはＮである；
（ａｋ）５８位のアミノ酸残基がＱ、Ｋ、ＮまたはＰである；
（ａｌ）５９位のアミノ酸残基がＡまたはＳである；
（ａｍ）６０位のアミノ酸残基がＥ、Ｋ、Ｇ、ＶまたはＤである；
（ａｎ）６１位のアミノ酸残基がＨまたはＱである；
（ａｏ）６２位のアミノ酸残基がＰ、ＳまたはＴである；
（ａｐ）６３位のアミノ酸残基がＥ、ＧまたはＤである；
（ａｑ）６５位のアミノ酸残基がＥ、Ｄ、ＶまたはＱである；
（ａｒ）６７位のアミノ酸残基がＱ、Ｅ、Ｒ、Ｌ、ＨまたはＫである；
（ａｓ）６８位のアミノ酸残基がＫ、Ｒ、ＥまたはＮである；
（ａｔ）６９位のアミノ酸残基がＱまたはＰである；
（ａｕ）７９位のアミノ酸残基がＥまたはＤである；
（ａｖ）８０位のアミノ酸残基がＧまたはＥである；
（ａｗ）８１位のアミノ酸残基がＹ、ＮまたはＦである；
（ａｘ）８２位のアミノ酸残基がＲまたはＨである；
（ａｙ）８３位のアミノ酸残基がＥ、ＧまたはＤである；
（ａｚ）８４位のアミノ酸残基がＱ、ＲまたはＬである；
（ｂａ）８６位のアミノ酸残基がＡまたはＶある；
（ｂｂ）８９位のアミノ酸残基がＴまたはＳである；
（ｂｃ）９０位のアミノ酸残基がＬまたはＩである；
（ｂｄ）９１位のアミノ酸残基がＩまたはＶである；
（ｂｅ）９２位のアミノ酸残基がＲまたはＫである；
（ｂｆ）９３位のアミノ酸残基がＨ、ＹまたはＱである；
（ｂｇ）９６位のアミノ酸残基がＥ、ＡまたはＱである；
（ｂｈ）９７位のアミノ酸残基がＬまたはＩである；
（ｂｉ）１００位のアミノ酸残基がＫ、Ｒ、ＮまたはＥである；
（ｂｊ）１０１位のアミノ酸残基がＫまたはＲである；
（ｂｋ）１０３位のアミノ酸残基がＡまたはＶである；
（ｂｌ）１０４位のアミノ酸残基がＤまたはＮである；
（ｂｍ）１０５位のアミノ酸残基がＬまたはＭである；
（ｂｎ）１０６位のアミノ酸残基がＬまたはＩである；
（ｂｏ）１１２位のアミノ酸残基がＴまたはＩである；
（ｂｐ）１１３位のアミノ酸残基がＳ、ＴまたはＦである；
（ｂｑ）１１４位のアミノ酸残基がＡまたはＶである；
（ｂｒ）１１５位のアミノ酸残基がＳ、ＲまたはＡである；
（ｂｓ）１１９位のアミノ酸残基がＫ、ＥまたはＲである；
（ｂｔ）１２０位のアミノ酸残基がＫまたはＲである；
（ｂｕ）１２３位のアミノ酸残基がＦまたはＬである；
（ｂｖ）１２４位のアミノ酸残基がＳまたはＲである；
（ｂｗ）１２５位のアミノ酸残基がＥ、Ｋ、ＧまたはＤである；
（ｂｘ）１２６位のアミノ酸残基がＱまたはＨである；
（ｂｙ）１２８位のアミノ酸残基がＥ、ＧまたはＫである；
（ｂｚ）１２９位のアミノ酸残基がＶ、ＩまたはＡである；
（ｃａ）１３０位のアミノ酸残基がＹ、Ｈ、ＦまたはＣである；
（ｃｂ）１３１位のアミノ酸残基がＤ、Ｇ、ＮまたはＥである；
（ｃｃ）１３２位のアミノ酸残基がＩ、Ｔ、Ａ、Ｍ、ＶまたはＬである；
（ｃｄ）１３５位のアミノ酸残基がＶ、Ｔ、ＡまたはＩである；
（ｃｅ）１３８位のアミノ酸残基がＨまたはＹである；
（ｃｆ）１３９位のアミノ酸残基がＩまたはＶである；
（ｃｇ）１４０位のアミノ酸残基がＬまたはＳである；
（ｃｈ）１４２位のアミノ酸残基がＹまたはＨである；
（ｃｉ）１４３位のアミノ酸残基がＫ、ＴまたはＥである；
（ｃｊ）１４４位のアミノ酸残基がＫ、ＥまたはＲである；
（ｃｋ）１４５位のアミノ酸残基がＬまたはＩである；および
（ｃｌ）１４６位のアミノ酸残基がＴまたはＡである；
に合致する、
ポリペプチド。
【請求項１４】  請求項１３に記載の単離されたポリペプチドまたは組換えポリペプチドであって、ここで：
（ｉ）前記ポリペプチドが、グリホセートに対して、少なくとも１０ｍＭ−１  ｍｉｎ−１のｋｃａｔ／Ｋｍでグリホセートのアセチル化を触媒し；かつ／または
（ｉｉ）該ポリペプチドがアミノメチルホスホン酸のアセチル化を触媒し；かつ／または
（ｉｉｉ）該ポリペプチドの以下の位置の少なくとも８０％が以下の制限：
（ａ）９、７６、９４および１１０位のアミノ酸残基がＡである；
（ｂ）２９および１０８位のアミノ酸残基がＣである；
（ｃ）３４位のアミノ酸残基がＤである；
（ｄ）９５位のアミノ酸残基がＥである；
（ｅ）５６位のアミノ酸残基がＦである；
（ｆ）４３、４４、６６、７４、８７、１０２、１１６、４２２、１２７および１３６位のアミノ酸残基がＧである；
（ｇ）４１位のアミノ酸残基がＨである；
（ｈ）７位のアミノ酸残基がＩである；
（ｉ）８５位のアミノ酸残基がＫである；
（ｊ）２０、３６、４２、５０、７２、７８、９８および１２１位のアミノ酸残基がＬである；
（ｋ）１、７５および１４１位のアミノ酸残基がＭである；
（ｌ）２３、６４および１０９位のアミノ酸残基がＮである；
（ｍ）２２、２５、１３３、１３４および１３７位のアミノ酸残基がＰである；
（ｎ）７１位のアミノ酸残基がＱである；
（ｏ）１６、２１、７３、９９および１１１位のアミノ酸残基がＲである；
（ｐ）５５および８８位のアミノ酸残基がＳである；
（ｑ）７７位のアミノ酸残基がＴである；
（ｒ）１０７位のアミノ酸残基がＷである；および
（ｓ）１３、４６、７０、１１７および１１８位のアミノ酸残基がＹである、
に合致する、ポリペプチド。
【請求項１５】  配列番号３００、配列番号４４５、および配列番号４５７からなる群より選択されるアミノ酸配列を含む、請求項１４に記載の単離されたポリペプチドまたは組換えポリペプチド。
【請求項１６】  Ｎ末端クロロプラスト移行ペプチドをさらに含み；かつ／または分泌配列もしくは局在化配列をさらに含む、請求項１４または１５に記載のポリペプチド。
【請求項１７】  配列番号３００、配列番号４４５、および配列番号４５７からなる群より選択されるアミノ酸配列を含む抗原に対して惹起されたポリクローナル抗血清により特異的に結合される、ポリペプチド。
【請求項１８】  グリホセートＮ−アセチルトランスフェラーゼ活性を有するポリペプチドを生成する方法であって、請求項８もしくは９に記載の細胞、または請求項１０〜１２に記載の植物、種子、または植物外植片を培養する工程を包含する、方法。
【請求項１９】  グリホセート耐性トランスジェニック植物、該植物の種子、またはグリホセート耐性植物細胞を生成する方法であって、以下：
（ａ）グリホセートＮ−アセチルトランスフェラーゼをコードするポリヌクレオチドを植物または植物細胞に形質転換する工程：および
（ｂ）必要に応じて、該形質転換された植物細胞からトランスジェニック植物を再生する工程、
を包含する、方法。
【請求項２０】  前記ポリヌクレオチドが、請求項１〜５のいずれかに記載のポリヌクレオチドであるか、または請求項６もしくは７に記載の構築物に含まれる、請求項１９に記載の方法。
【請求項２１】  請求項１９または２０に記載の方法であって、その同属の野生型植物の生育を阻害し、形質転換された植物の生育を阻害しないグリホセート濃度において、形質転換された植物または形質転換された植物細胞を生育する工程をさらに包含し、ここで、該生育は漸増濃度のグリホセート中で行なわれ、かつ／または、ここで、該生育は、該同属の野生型植物または野生型植物細胞に致死であるグリホセート濃度において行なわれる、方法。
【請求項２２】  請求項１９〜２１のいずれかに記載の方法であって、前記トランスジェニック植物を、該トランスジェニック植物と第２の植物とを交配することによって増殖させる工程をさらに包含し、その結果、該交配の子孫のすくなくともいくつかがグリホセート耐性を示す、方法。
【請求項２３】  作物を含む畑において雑草を選択的に制御する方法で、以下：
（ａ）グリホセートＮ−アセチルトランスフェラーゼをコードするポリヌクレオチドで形質転換された結果として、グリホセート耐性である作物の種子または作物を該畑に植える工程；および
（ｂ）該作物に有意な影響を与えることなしに、該畑域中の該作物および該雑草に、該雑草を制御するために十分量のグリホセートを適用する工程、
を包含する、方法。
【請求項２４】  前記グリホセートＮ−アセチルトランスフェラーゼをコードするポリヌクレオチドが、請求項１〜５のいずれかに記載のポリヌクレオチドまたは請求項６〜７に記載の構築物である、請求項２３に記載の方法。
【請求項２５】  増強されたグリホセート耐性を有するトランスジェニック植物またはトランスジェニック植物外植片であって、ここで該植物または植物外植片が、グリホセートＮ−アセチルトランスフェラーゼ活性を有するポリペプチド、および
（ａ）さらなる機構によってグリホセート耐性を付与する少なくとも１つのポリペプチド；および／または
（ｂ）さらなる除草剤に耐性を付与する少なくとも１つのポリペプチド
を発現する、トランスジェニック植物またはトランスジェニック植物外植片。
【請求項２６】  前記グリホセートＮ−アセチルトランスフェラーゼ活性を有するポリペプチドが、請求項１〜５のいずれかに記載のポリヌクレオチドから発現される、請求項２５に記載のトランスジェニック植物またはトランスジェニック植物外植片。
【請求項２７】  請求項２５または２６に記載のトランスジェニック植物またはトランスジェニック植物外植片であって、ここで
（ａ）前記さらなる機構によりグリホセート耐性を与える少なくとも１つのポリペプチドが、グリホセート耐性５−エノールピルビルシキメート−３−ホスフェートシンターゼもしくはグリホセート耐性グリホセートキシドレダクターゼであり；かつ／または
（ｂ）前記さらなる除草剤に対する耐性を与える少なくとも１つのポリペプチドが、変異型ヒドロキシフェニルピルベートジオキシゲナーゼ、スルホンアミド耐性アセトラクテートシンターゼ、スルホンアミド耐性アセトヒドロキシ酸シンターゼ、イミダゾリノン耐性アセトラクテートシンターゼ、イミダゾリノン耐性アセトヒドロキシ酸シンターゼ、フォスフィノスリシンアセチルトランスフェラーゼ、または変異型プロトポルフィリノーゲンオキシダーゼである、
トランスジェニック植物またはトランスジェニック植物外植片。
【請求項２８】  作物を含む畑において雑草を制御するための方法であって、
（ａ）請求項２５〜２７のいずれかに記載の植物の種子を該畑に植える工程；および、
（ｂ）該作物への有意な影響なしで該畑における該雑草の成長を阻害するのに十分である、グリホセートの効果的な適用を、該畑における作物および雑草に適用する工程、および
（ｃ）必要に応じて、グリホセートおよび必要に応じてさらなる該除草剤の、同時適用または経時的時差適用を該畑における作物および雑草に適用する工程、
を包含する、方法。
【請求項２９】  請求項２８に記載の方法であって、ここで、前記さらなる除草剤が、ヒドロキシフェニルピルベートジオキシゲナーゼインヒビター、スルホンアミド、イミダゾリノン、ビアラホス、フォスフィノスリシン、アザフェニジン、ブタフェナシル、スルフォセート、グルフォシネート、およびプロトックスインヒビターからなる群より選択される、方法。
【請求項３０】  前記さらなる除草剤が同時にまたは連続して適用される、請求項２９に記載の方法。